(57)【要約】【課題】  結束する袋を停止した状態で袋開口端部を粘着テープで安定に結束可能な結束装置を提供する。【解決手段】  粘着テープＮを導く案内面２をもつ押さえ板１、押さえ板１に近接・離間可能で、近接したとき案内面２と共に形成する案内面１２を有するとともに押さえ板１との間に袋のすぼまされた開口端部Ｅを受け入れる空所Ｓを形成する先端チップ１０、上下変位可能な紙テープ保持部材２０、及び結束済みの粘着テープＮを切断するカッター３１を有する。紙テープ保持部材２０は、結束済み粘着テープＮの両端部の粘着面に貼り付ける紙テープＫを導く紙テープ保持部２１と折り返しプレート２２とを有し、紙テープ保持部材２０は空所Ｓの上を通過して上昇されるとき付着されている粘着テープＮの粘着面を空所Ｓの上の案内面２上にある粘着テープＮの粘着面に貼り合わせつつ折り返えし、紙テープＫを案内面２の上にある粘着テープＮの粘着面に貼り付ける。【選択図】      図１
2007217010.tif 000002
【特許請求の範囲】
【請求項１】
包装品を入れた袋のすぼまされた開口端部を粘着テープで結束する袋開口端部の結束装置において、粘着面を外に向けて結束用の粘着テープを導く案内面を有する押さえ板、前記押さえ板と近接・離間可能に同押さえ板と相対変位可能で前記押さえ板と近接したとき前記粘着テープを導く案内面と共に形成する案内面を有するとともに前記押さえ板との間に結束すべき袋のすぼまされた開口端部を受け入れる結束部受け入れ空所を形成する先端チップ、近接した前記押さえ板と先端チップとが形成する前記案内面に沿って前記結束部受け入れ空所の上を通過して変位可能な紙テープ保持部材、及び前記袋開口端部を結束済みの粘着テープを切断するカッターを有し、前記紙テープ保持部材は、前記袋の開口端部を結束した粘着テープの両端部の粘着面に貼り付ける紙テープを導く紙テープ保持部と前記粘着テープの端部粘着面が付着される折り返しプレートとを有し前記案内面に沿って前記結束部受け入れ空所の上を通過して変位されるとき前記折り返しプレートに付着された粘着テープの端部粘着面を前記結束部受け入れ空所の上を越えた前記案内面の上にある粘着テープの粘着面に貼り合わせつつ折り返えすとともに前記紙テープを前記案内面の上にある前記粘着テープの粘着面に張り合わせるように構成されていることを特徴とする袋開口端部の結束装置。
【請求項２】
前記紙テープ保持部材とともに、前記案内面の上にある粘着テープの粘着面に開口端部を結束すべき袋が付着するのを防止する付着防止板部材を、前記案内面に沿って変位可能に設けていることを特徴とする請求項１に記載の袋開口端部の結束装置。
【請求項３】
前記先端チップが枢着軸まわりに回動可能に配設され、その枢着軸まわりの回動によって前記押さえ板と近接・離間可能に構成したことを特徴とする請求項１に記載の袋開口端部の結束装置。
【発明の詳細な説明】
【技術分野】
【０００１】
本発明は、包装品を入れた袋のすぼまされた開口端部を粘着テープで結束する袋開口端部の結束装置に関し、更に詳しくは袋の開口端部を結束した粘着テープの向き合った両端の粘着面に渡って貼り付けて非粘着面とする紙テープなどの非粘着面付与テープ（本発明では単に紙テープと称する）を貼り付けて結束粘着テープの張り合わせ端部を開き易くした状態で結束する袋開口端部の結束装置に関する。
【背景技術】
【０００２】
昨今は、種々の商品が袋詰めして流通されているが、その袋の開口端部を粘着テープで結束した状態に袋詰めしているものが多い。このように商品を袋詰めした袋の開口端部を粘着テープで結束したものにおいて、その結束粘着テープの両端部を互いに貼り合わせ密着状態としたものは、その結束粘着テープによる結束を解いて袋から商品を取り出すのが難しく、結束部で袋を切り開いたり袋を破いてしまうことが多い。そのため、特許文献１に示されているように、袋の開口端部を結束した粘着テープの向き合った両端の粘着面に渡って紙テープを貼り付けて結束粘着テープの張り合わせ端部を開き易くした状態で結束するやり方を提供した。図７にこの結束方式による包装品の結束部の例を示してある。図７において、Ｅは袋のすぼまされた開口端部、Ｔ１は粘着テープ、Ｔ２は紙テープを示している。
【０００３】
この結束方式によると、その粘着テープの両端に渡って貼り付けられた紙テープによって粘着テープの両端は粘着面が紙テープで覆われており、それを両手で把持して引っ張ることによって結束している粘着テープを解くことが容易であるばかりでなく、袋の開口部を封印するとともに、その粘着テープの両端に渡って貼り付けられている紙テープに包装品の賞味期限を印字したり包装商品に関する情報を明瞭な形で見易くして提供することができるなどの利点があり市場で歓迎されている。
【０００４】
しかしながら、このように粘着テープの両端粘着面に渡って紙テープを貼った状態で結束するのには特許文献２に示すようにターレット方式の機械を使っている。このようにターレット方式の結束装置によるときは、包装商品を移動させながら袋開口端部を結束することになるため、結束を行う部分に袋入り商品を移動させるためのスペースを必要とし、また、包装品を充填した袋を移動させながら結束することは結束に安定性を欠くことがあるとともに、包装品を充填した袋を移動させながら結束することが充填されている商品にとって好ましくない場合もあった。
【特許文献１】特公昭６０−３１６８７号公報
【特許文献２】特公平０３−５３１６６号公報
【発明の開示】
【発明が解決しようとする課題】
【０００５】
本発明は、包装品を入れた袋のすぼまされた開口端部を粘着テープで結束する袋開口端部の結束装置において開口端部を結束する袋を動かすことなく停止した状態で安定に結束することが可能で、しかも構成が簡単で、作動が確実な袋開口端部の結束装置を提供することを課題としている。
【課題を解決するための手段】
【０００６】
本発明は前記課題を解決するため、包装品を入れた袋のすぼまされた開口端部を粘着テープで結束する袋開口端部の結束装置において、粘着面を外に向けて結束用の粘着テープを導く案内面を有する押さえ板、前記押さえ板と近接・離間可能に同押さえ板と相対変位可能で前記押さえ板と近接したとき前記粘着テープを導く案内面と共に形成する案内面を有するとともに前記押さえ板との間に結束すべき袋のすぼまされた開口端部を受け入れる結束部受け入れ空所を形成する先端チップ、近接した前記押さえ板と先端チップとが形成する前記案内面に沿って前記結束部受け入れ空所の上を通過して変位可能な紙テープ保持部材、及び前記袋開口端部を結束済みの粘着テープを切断するカッターを有し、前記紙テープ保持部材は、前記袋の結束部を結束した粘着テープの両端部の粘着面に貼り付ける紙テープを導く紙テープ保持部と前記粘着テープの端部粘着面が付着される折り返しプレートとを有し前記案内面に沿って前記結束部受け入れ空所の上を通過して変位されるとき前記折り返しプレートに付着された粘着テープの端部粘着面を前記結束部受け入れ空所の上を越えた前記案内面の上にある粘着テープの粘着面に貼り合わせつつ折り返えすとともに前記紙テープを前記案内面の上にある前記粘着テープの粘着面に張り合わせるように構成されていることを特徴とする袋開口端部の結束装置を提供する。
【発明の効果】
【０００７】
本発明の袋開口端部の結束装置によれば、近接・離間するよう相対変位可能に設けられた押さえ板と先端チップが近接して両者に渡って案内面を形成した状態にされ、その案内面に沿って紙テープ保持部材が移動することによって、近接された押さえ板と先端チップの間に形成された結束部受け入れ空所にすぼまされた状態で受け入れられている袋開口端部が粘着テープで結束されるとともに、すぼまされた袋開口端部を結束した粘着テープは両端粘着面に渡って紙テープが貼られて封印された状態にすることができる。この結束動作の間、品物を充填されている袋は結束部受け入れ空所にすぼまされた状態で袋開口端部が受け入れられた状態のままでいればよく移動させる必要がない。こうして、品物が充填された袋を動かすことなく停止したまま袋の開口端部を安定した状態で所期どおり確実に結束することができる。その上、本発明による結束装置における結束動作は紙テープ保持部材を直線移動させるだけで行えるので、結束装置の構成が簡単で、作動が確実な袋開口端部の結束装置となっている。
【０００８】
本発明による袋開口端部の結束装置では、前記紙テープ保持部材とともに、前記案内面の上にある粘着テープの粘着面に開口端部を結束すべき袋が付着するのを防止する付着防止板部材を、前記案内面に沿って変位可能に設けた構成を採用し、また、前記先端チップを枢着軸まわりに回動可能な構成とし、その枢着軸まわりに先端チップを回動させて前記押さえ板と近接・離間可能にした構成を採用して簡単な構造によって作動を確実に行わせるようにするのが好ましい。
【発明を実施するための最良の形態】
【０００９】
以下、本発明による袋開口端部の結束装置を図示した実施の一形態に基づいて具体的に説明する。全体構成を示す図１及び図２において、１は袋開口端部を結束するのに使われる粘着テープを導く静置された押さえ板である。押さえ板１は、鉛直状態で配置された案内面２を有し、粘着テープは、上方に保持された粘着テープのリールからこの案内面２に沿って粘着面を外側を向けて（図で右側を向けて）案内される。
１０は先端チップで、先端チップ１０は枢着軸１１の回りに回動可能に支持されており、先端チップ１０が枢着軸１１の回りに反時計回り方向に回動して図示した位置にされると、鉛直状態となるその前面は押さえ板１の案内面２と好ましくは同一面となる案内面１２を形成するように構成されている。また、先端チップ１０は、図示した位置にされたときに上端部にすぼまされた袋の開口端部を受け入れる結束部受け入れ空所Ｓを形成するための空所形成部材１３が設けられている。
【００１０】
２０は紙テープ保持部材で、前記したように好ましくは同一面を形成した状態となった押さえ板１と先端チップ１０の両案内面２、１２に沿って変位可能に構成されている。紙テープ保持部材２０は、下方に保持された紙テープリールからの紙テープＫを供給可能に保持する紙テープ保持部２１と、結束用粘着テープの粘着面を付着させた状態で先端チップ１０の案内面１２に沿って粘着テープを導き出すように構成された折り返しプレート２２を有している。
紙テープ保持部２１と折り返しプレート２２とは、案内面２、１２に沿って共に上下動されるように構成されている。
紙テープＫは、紙テープ保持部２１と折り返しプレート２２との間から案内面２、１２に向けて供給される構成となっている。３０は付着防止部材で、案内面２、１２との間に小隙を保って保持されており、紙テープ保持部２１、折り返しプレート２２と一緒に案内面２、１２に沿って上下に変位される。
【００１１】
３１はカッターで、このカッター３１は、押さえ板１に形成されたスリット３と付着防止部材３０に形成されたスリットを通って出没されるように構成され、後記するように、押さえ板１のスリット３を貫通して突出して粘着テープと紙テープを切断する働きを行う。カッター３１は図で水平方向左右に変位するようエアシリンダ等で適宜駆動されればよいので、その駆動機構は図示を省略してある。図１は、紙テープ保持部２１と付着防止部材３０が下方の位置にあって、結束すべく袋のすぼめられた開口端部に対し結束動作を行う前の状態を示し、一方、図２は紙テープ保持部２１と付着防止部材３０が上方の位置にあって、結束するためすぼめられた袋の開口端部に対し結束動作を終えて粘着テープと紙テープがカッター３１で切断されるときの状態を示している。
【００１２】
図示した実施形態による結束装置は以上説明した構成を有しており、以下、この結束装置による袋開口端部に対する結束動作について図３から図６を用いて説明する。
図３の（イ）は、結束動作を開始する前の状態で、付着防止部材３０と紙テープ保持部材２０が共に上方に移動され、また、先端チップ１０は枢着軸１１の回りに時計回りに回動され、押さえ板１の下端と先端チップ１０との間は開かれた状態となっている。この状態は、袋開口端部の結束を終えた袋を解放した状態である。
次いで、先端チップ１０が枢着軸１１の回りに反時計回りに回動されて押さえ板１の下端と先端チップ１０との間が閉じられた状態とされる。
この状態において、粘着テープＮは粘着面を外側（図の右側）に向けて押さえ板１の案内面２に沿って導かれており、その下方では粘着面を折り返しプレート２２の粘着テープ付着面２３に付着させ、さらにその下方では紙テープ保持部２１が先端チップ１０と対向する面２４の所で、紙テープ保持部２１と折り返しプレート２２の間の隙間から導き出された紙テープＫが粘着面に貼り付けられて先端チップ１０と紙テープ保持部２１との間に保持された状態となっている。
【００１３】
その後、付着防止部材３０と紙テープ保持部材２０が共に下方に移動され、その状態を図３の（ロ）が示している。この状態では押さえ板１の下端と先端チップ１０との間は閉じられている。その後、押さえ板１が少し上昇され、押さえ板１の下端と先端チップ１０との間が少し開かれた図３の（ハ）の状態とされる。この状態では、押さえ板１の案内面２に沿って伸びて置かれていた粘着テープＮは、粘着面を外側（図では右側）に向けて押さえ板１の下端と先端チップ１０との間の隙間に露呈した状態となる。その隙間部分の部分的拡大図が図５の（ハ’）である。
なお、（ハ’）ではテープに厚みを持たせて判り易く誇張して示してあり、以下の拡張図においても同様の態様で示してある。
【００１４】
図３の（ハ）の状態では、押さえ板１の下端と先端チップ１０との間が少し開かれ、後方に空所形成部材１３、前方に粘着面を露呈して粘着テープＮが置かれて、これらの間に包装用袋のすぼまされた開口端部Ｅが受け入れられる空所Ｓが形成されている。この空所Ｓに対して図３の（二）に示すように、すぼまされた袋の開口端部Ｅが押し込まれる。このとき、包装用袋の開口端部Ｅが空所Ｓに押し込まれるのと同期して紙テープ保持部材２０が所定の寸法上昇されるようにすると、空所Ｓの前に垂れ下げられている粘着テープＮに弛みが生じて包装用袋の開口端部Ｅを空所Ｓに押し込みを円滑に行うことができて好ましい。このように紙テープ保持部材２０が所定の寸法上昇される作動は、図３の（二）に図式的に例示してあるように、包装用袋の開口端部Ｅを空所Ｓに押し込む動きに同期して進められる板カム２５と、これに係合するよう紙テープ保持部材２０に設置されたローラ２６とを設ける等の簡単な構成によって行うことができる。
構成（二）における空所Ｓ部の拡大図が図５の（二’）である。このときに結束すべき開口端部Ｅが空所Ｓに押し込まれる袋が空所Ｓの前に露呈している粘着面に付着するのを、粘着テープＮの粘着面を覆う状態となっている付着防止部材３０が防止する。
【００１５】
次いで、紙テープ保持部材２０が図４の（ホ）に示すように上昇を始める。紙テープ保持部材２０における折り返しプレート２２が先端チップ１０と対向する面２４には粘着テープＮの粘着面が付着しているため、折り返しプレート２２の上昇につれて粘着テープＮも上昇される。この時の空所Ｓ部分の拡大図を図５の（ホ’）に示してあり、粘着テープＮは空所Ｓに入っている袋のすぼめられた開口端部Ｅの回りに折り返された状態で持ち上げられ粘着面同士が張り合わされて行く。紙テープ保持部材２０が図４の（ヘ）の位置まで上昇されると、カッター３１が突出されて粘着テープＮと紙テープＫが切断される。そのときの切断部分の拡大図が図６の（ヘ’）に示してある。図４の（ヘ）に示すテープ切断位置まで紙テープ保持部材２０が上昇する途中における粘着テープＮと紙テープＫの状態が図５の（ホ’’）に示してある。
【００１６】
最後に、先端チップ１０が枢着軸１１の回りに図４の（ト）に示すように回動され、押さえ板１、先端チップ１０及び空所形成部材１３の間に形成されていた袋の結束部分となる開口端部Ｅを入れる空所Ｓが開放される。これによって、粘着テープＮによって結束された袋の結束部は図６の（ト’）に示すように解放され、一方、押さえ板１、先端チップ１０、紙テープ保持部材２０は図３の（イ）の状態に戻り、以上説明した結束動作が再び繰り返えし行われる。
【００１７】
以上、本発明を実施の形態に基づいて具体的に説明したが、本発明はこの実施形態に限定されるものではなく、特許請求の範囲に記載の本発明の範囲内で種々の変形、変更を加えてよいことはいうまでもない。
例えば、前記した実施の形態では、結束部となるすぼまされた袋の開口端部Ｅを受け入れる空所Ｓを押さえ板１、先端チップ１０、及び空所形成部材１３によって形成させているが、袋の結束部を受け入れる空所はこれに限らず、適宜の構造によって形成させてよい。
また、先端チップ１０は枢着軸１１の回りに下から上方へ回動して空所Ｓを形成する構造のものを示したが、図１で反時計回りに上方から下方へ回動して空所Ｓを形成させるようにしてもよく、また、先端チップ１０は枢着軸１１の回りに回動させることによって押さえ板１に対して近接・離間可能な構造としているが、これに限らず適宜の構造を採用してよく、例えば、先端チップ１０を鉛直方向、水平方向に変位させるようにするなどの構造としてもよい。
【図面の簡単な説明】
【００１８】
【図１】本発明の実施の一形態による袋開口端部の結束装置の構成を示す説明図で、紙テープ保持部材と付着防止板が下方位置に変位された状態で示されている。
【図２】図１に示したと同様の袋開口端部の結束装置の構成を示す説明図で、紙テープ保持部材と付着防止板が上方位置に変位された状態で示されている。
【図３】図１、２に示した実施の形態による袋開口端部の結束装置の作動を示す図面で、（イ）図は先端チップが押さえ板から離れた状態を示し、（ロ）図は先端チップが押さえ板に近接して紙テープ保持部材が下降した状態を示し、（ハ）図は押さえ板が少し上昇して先端チップとの間に空所を形成した状態を示し、（二）図は押さえ板と先端チップの間に形成された空所に袋のすぼまされた開口端部を受け入れた状態を示している。
【図４】図３に続く袋開口端部の結束装置の作動を示す図面で、（ホ）は紙テープ保持部材が上昇を開始し始めた状態を示し、（ヘ）図は結束を終えた粘着テープと紙テープをカッターが切断している状態を示し、（ト）図は、結束操作を終えた袋を解放した状態を示している。
【図５】袋開口端部の結束操作における結束部部分の拡大説明図面で、（ハ’）、（二’）、（ホ’）、及び（ホ’’）は、それぞれ、図３の（ハ）、（二）、（ホ）、及び（ホ）から図４の（ヘ）に到る間における結束部部分の拡大説明図面である。
【図６】袋開口端部の結束操作における結束部部分の拡大説明図面で、（ヘ’）は、図４の（ヘ）における結束部部分の拡大説明図面、（ト’）は結束後に解放された結束部の状態を示す説明図である。
【図７】結束された袋の開口端部を示す斜視図。
【符号の説明】
【００１９】
１    押さえ板
２    案内面
３    スリット
１０  先端チップ
１１  枢着軸
１２  案内面
１３  空所形成部材
２０  紙テープ保持部材
２１  紙テープ保持部
２２  折り返しプレート
２３  粘着テープ付着面
２４  先端チップと対向する面
２５  板カム
２６  ローラ
３０  付着防止部材
３１  カッター
Ｅ    袋の開口端部（結束部）
Ｋ    紙テープ
Ｎ    粘着テープ
Ｓ    結束部を受け入れる空所
【図１】
2007217010.tif 000003
【図２】
2007217010.tif 000004
【図３】
2007217010.tif 000005
【図４】
2007217010.tif 000006
【図５】
2007217010.tif 000007
【図６】
2007217010.tif 000008
【図７】
2007217010.tif 000009